(57)【特許請求の範囲】
【請求項１】
底板と、この底板の周部に位置し、少なくとも対向する一対の側壁を有する側枠部と、側枠部内側又は側枠部外側に装着される水栓支持枠と、この水栓支持枠に支持された水栓の側方及び上方を覆うカバー体とを備え、
前記側壁には係止部を設ける一方、前記水栓支持枠には、前記係止部が設けられた側壁と相対する部分に被係止部を設け、
前記係止部と前記被係止部とを係脱可能に、且つ、前記側枠部に対し前記水栓支持枠を位置変更可能に装着してあり、
前記係止部が上下方向の複数の突条又は凹溝であり、前記被係止部が上下方向の凹溝又は突条であり、前記水栓支持枠を上下方向にスライドさせることができる散水栓装置。
【請求項２】
前記水栓支持枠は、平面視矩形の上面及び該上面の両端に連設された一対の側壁部を有し、各側壁部に前記被係止部を設けてあり、
前記係止部を構成する前記複数の突条又は凹溝は所定間隔で配列され、前記被係止部を構成する前記凹溝又は突条も所定間隔で複数配列されている請求項１に記載の散水栓装置。
【請求項３】
前記水栓支持枠の上面は板状であり、この板状の部分には水栓位置調整用の長孔が設けられている請求項１又は請求項２に記載の散水栓装置。
【発明の詳細な説明】
【技術分野】
【０００１】
本発明は、散水栓装置に関するものである。
【背景技術】
【０００２】
従来、散水栓装置として、下記特許文献１，２に示すように、平面視矩形の上方開口及び平面視矩形の下方開口を有する散水栓ボックスと、前記上方開口を覆うよう散水栓ボックスに着脱自在に装着される上蓋と、前記下方開口の形状に対応する平面視矩形の底板と、底板の周縁から立ち上がる立ち上がり板部（側枠部）と、底板の上方に散水栓の基部よりも下部を覆う状態で散水栓を固定設置するための中蓋とを備えたものがある。そして，容易な操作で散水ホースを散水栓に対して着脱できる公知の簡易着脱機構（例えば、特許第２６６６０５５号公報参照）の継手が散水ホースの開口端と散水栓の吐水口に備わっており、散水栓の吐水口に取り付けた継手には弁体が組み込まれている。
【先行技術文献】
【特許文献】
【０００３】
【特許文献１】特許第３８９５９７３号公報
【特許文献２】特許第３８９５９６３号公報
【発明の概要】
【発明が解決しようとする課題】
【０００４】
例えば、特許第３８９５９７３号公報に記載されている散水栓装置７０（図７参照）においては、散水栓７１の吐水口に取り付けた継手７２に散水ホースＨの開口端に取り付けた継手（ワンタッチアダプターとも言う）７３を接続すると前記弁体が開弁する一方、散水ホースＨ離脱時には自動的に前記弁体が閉鎖するよう簡易着脱機構が構成されている。尚、７４は、散水栓７１にねじ接続される下流部分を有するエルボ部材で、エルボ部材７４の上流部分に配管７５が接続されている。しかしながら、散水栓７１の吐水口は地表面から垂直方向に対して斜め上方に向けられており、散水栓７１を、中蓋７６の略中央位置に固定設置した場合、すなわち、散水栓７１の操作ハンドル７７に固着された弁棒の軸線Ｒが中蓋７６の略中心位置にくるよう散水栓の基部よりも下部を散水栓挿通孔ｈに挿入して散水栓７１を固定設置した場合では、ワンタッチアダプター７３は図中Ｊで示す領域を占める程大きく、また、散水栓７１の吐水口の先端が散水栓ボックス７８の側壁部Ｐに近接しすぎることになる。そのために散水栓７１に散水ホースＨを繋げると、散水ホースＨが干渉して上蓋７９が閉まらないおそれがあるといった課題があった。
【０００５】
また、特許第３８９５９６３号公報に記載されている散水栓装置においては、散水栓の吐水口の先端が散水栓ボックスの側壁部に近接しすぎないようエルボ部材を介して散水栓を中蓋に固定設置し、それによって、散水栓を中蓋の略中央位置に固定設置した場合よりも散水ホースの上蓋との干渉を緩和したものが開示されている。しかしながら、この公報に記載されている散水栓装置では、エルボ部材を固定するため底板上の所定位置に二つの台座を形成するといった工程が必要であるとともに、ねじを用いてエルボ部材をこれら台座に固定するためエルボ部材の下部両側部に矩形板状の止め座を突出形成するといった工程が必要であり、その分コスト高になるといった課題がある。また、散水栓の固定位置が二つの台座に対応して二箇所しか存在しない。即ち、特許第３８９５９６３号公報に記載されている散水栓装置では、中蓋に対して二箇所の定位置以外は散水栓を位置変更可能に装着できず、エルボ部材に接続される例えば配管が当該二箇所の定位置よりもずれたりしているような場合には微妙な対応は難しい。
【０００６】
本発明は上述の事柄を考慮に入れてなされたものであり、散水栓が中蓋の略中央位置に固定設置されているときよりも散水ホースの上蓋との干渉を緩和できるとともに、散水栓の固定位置をその都度容易な操作で変更することができるコスト安な散水栓装置を提供することを目的としている。
【課題を解決するための手段】
【０００７】
上記目的を達成するため、本願の請求項１に係る発明は、底板と、この底板の周部に位置し、少なくとも対向する一対の側壁を有する側枠部と、側枠部内側又は側枠部外側に装着される水栓支持枠と、この水栓支持枠に支持された水栓の側方及び上方を覆うカバー体とを備え、
前記側壁には係止部を設ける一方、前記水栓支持枠には、前記係止部が設けられた側壁と相対する部分に被係止部を設け、
前記係止部と前記被係止部とを係脱可能に、且つ、前記側枠部に対し前記水栓支持枠を位置変更可能に装着してあり、
前記係止部が上下方向の複数の突条又は凹溝であり、前記被係止部が上下方向の凹溝又は突条であり、前記水栓支持枠を上下方向にスライドさせることができる散水栓装置を提供する。
【０００８】
また、本願の請求項２に係る発明は、前記水栓支持枠は、平面視矩形の上面及び該上面の両端に連設された一対の側壁部を有し、各側壁部に前記被係止部を設けてあり、
前記係止部を構成する前記複数の突条又は凹溝は所定間隔で配列され、前記被係止部を構成する前記凹溝又は突条も所定間隔で複数配列されている請求項１に記載の散水栓装置を提供する。
【０００９】
また、本願の請求項３に係る発明は、前記水栓支持枠の上面は板状であり、この板状の部分には水栓位置調整用の長孔が設けられている請求項１又は請求項２に記載の散水栓装置を提供する。
【発明の効果】
【００１０】
本願の請求項１に係る発明では、底板の周部に位置する側枠部の少なくとも対向する一対の側壁に、係止部を設ける一方、水栓を支持する水栓支持枠には、前記係止部が設けられた側壁と相対する部分に被係止部を設け、更に、前記係止部と前記被係止部とを係脱可能に、且つ、前記側枠部に対し前記水栓支持枠を位置変更可能に装着している。即ち、本願の請求項１に係る発明では、前記係止部と前記被係止部とを係脱可能にしてあることにより、水栓支持枠を側枠部における好ましい位置に容易に装着することができ、従来技術で用いた台座のようなものを設けることなく、水栓支持枠に支持されている水栓を所望の固定位置に設置可能である。また、水栓の微妙な位置変更が必要なときには、その都度水栓支持枠を側枠部から取り外して取り外された水栓支持枠の前記被係止部を再度容易に位置変更後、水栓支持枠を側枠部へ装着することができる。このように、水栓支持枠の位置変更操作が可能になるため、水栓支持枠に支持されている水栓の位置をフレキシブル（容易に）に動かせることができる。また、水栓の吐水口の先端が、水栓支持枠に支持された水栓の側方及び上方を覆うカバー体の一側側の側壁部に近接しすぎないよう水栓位置を水栓支持枠によってフレキシブルに動かせるようにすることができるため、水栓が従来のように中蓋の略中央位置に固定設置されているときよりも散水ホースの上蓋との干渉が緩和できる。更に、従来技術で用いる中蓋の幅は、底板を覆う大きさであったが、本願の請求項１に係る発明では、後述する底板の幅（図５に示す、係止部１０が設けられている側壁７ａ，７ｂの長さｂ）よりも水栓を支持する水栓支持枠の幅ｄ小さくすることができ、簡易な構成の水栓支持枠を提供することができる。
【００１１】
本願の請求項２に係る発明では、前記係止部が上下方向の複数の突条又は凹溝であり、前記被係止部が上下方向の複数の凹溝又は突条であることにより、水栓の位置変更が容易である。
【００１２】
本願の請求項３に係る発明では、前記水栓支持枠の上面は板状であり、この板状の部分には水栓位置調整用の長孔が設けられていることにより、例えば図６に示すように、水栓の位置のみならず、水栓の向きの調整が容易になるといった利点を有する。
【図面の簡単な説明】
【００１３】
【図１】本発明の一実施形態を示す平面図である。
【図２】上記実施形態において、短手方向側からみた構成説明図である。
【図３】上記実施形態において、長手方向側からみた構成説明図である。
【図４】上記実施形態における底板、側枠部に対する水栓支持枠の取付け前の状態を示す斜視図である。
【図５】上記実施形態における好ましい水栓固定位置を示す構成説明図である。
【図６】上記実施形態において、水栓固定位置の調整状態を示す構成説明図である。
【図７】従来例を示す構成説明図である。
【発明を実施するための形態】
【００１４】
以下、本発明の実施形態について説明する。図１〜図６は、底板と側枠部を一体に形成するとともに、水栓支持枠を側枠部内側で位置変更可能に装着してある本発明の一実施形態を示す。
【００１５】
図１〜図６において、散水栓装置Ｄは、平面視矩形の底板１と、この底板１の周部に位置し、対向する二対の側壁６ａ，６ｂおよび７ａ，７ｂを有する側枠部２と、側枠部内側に装着される縦断面略門型の水栓支持枠３と、この水栓支持枠３に支持された水栓（散水栓）４の側方及び上方を覆うカバー体５とを備え、前記二対の側壁６ａ，６ｂおよび７ａ，７ｂのうちの側壁７ａ，７ｂにはそれぞれ係止部１０を設ける一方、水栓支持枠３には、前記係止部１０が設けられた側壁７ａ，７ｂと相対する部分に被係止部１１を設け、前記係止部１０と前記被係止部１１とを係脱可能に、且つ、側枠部２に対し水栓支持枠３を位置変更可能に装着してある。
【００１６】
この実施形態では、側枠部２は、底板１の全周縁から立ち上がる立ち上がり板部で構成されており、側枠部２は、底板１の短手方向（両矢印Ｓで示す方向）に沿って左右に位置する一対の側壁（一対の対向部分）６ａ，６ｂと、底板１の長手方向（両矢印Ｌで示す方向）に沿って左右に位置する一対の側壁（一対の対向部分）７ａ，７ｂとより構成されている。この実施形態では、Ｌ方向を底板１の幅方向としており、図５において、ａは、Ｓ方向に沿う側壁６ａ，６ｂの長さ、ｂは、Ｌ方向に沿う側壁７ａ，７ｂの長さである（ａ＜ｂ）。尚、Ｓ方向を底板１の幅方向としてもよい。そして、側壁６ａ，６ｂの中央にそれぞれ、上部側から切欠いたＵ字形でそれぞれ同一形状の切欠８，９が設けられている。尚、側枠部と底板を別体に形成してもよい。
【００１７】
一方、水栓支持枠３は、平面視矩形の上面３ａ及び一対の側壁部Ａ，Ｂを有している。水栓支持枠３の幅ｄ（図４、図５参照）は側壁７ａ，７ｂの長さｂ（底板１の幅に対応する）よりも小さく設定されている（ｄ＜ｂ）。また、図に示す例では、水栓支持枠３の高さｅは、側枠部２の高さｆと同一に設定されている。ただし、同一でなくてもよい。一対の側壁部Ａ，Ｂは、Ｌ方向に沿って左右に対向する状態で位置する。また、水栓支持枠３の上面３ａの中央には水栓位置調整用の長孔２１が設けられている。５０は、散水栓７１にねじ接続されるエルボ部材である。
【００１８】
また、カバー体５（図１〜図３参照）は、平面視矩形の上方開口２２及び平面視矩形の下方開口２３を有する箱状の散水栓ボックス３０と、上方開口２２を覆うよう散水栓ボックス３０に着脱自在に装着されている上蓋３１とで構成されている。尚、散水栓ボックスと上蓋を一体に形成してもよい。この実施形態の散水栓ボックス３０は、四つの側壁部Ａ’，Ｂ’，Ｃ’，Ｅ’を有する。一対の側壁部Ａ’，Ｂ’は、Ｌ方向に沿って左右に対向する状態で位置する。また、一対の側壁部Ｃ’，Ｅ’は、Ｓ方向に沿って左右に対向する状態で位置する。上蓋３１は、ヒンジ機構により側壁部Ｂ’の側（図３において、矢印Ｖで示す方向）に開操作可能に構成されている。図３において、３２は、Ｌ方向に沿う形で内側に突出するよう側壁部Ｅ’の上端内面に設けた突起で、同じものが側壁部Ｅ’に相対する側壁部Ｃ’の内面において設けられている一方、これら突起が遊嵌可能な孔が上蓋３１両辺部の対応する位置に設けられており、これにより上蓋３１は、Ｖ方向に開操作できる。尚、上蓋３１の閉時には、散水栓ボックス３０の上端内面に形成されたリブ４０によって、上蓋３１の周端面部が支持される。また、散水栓ボックス３０は、散水栓ボックス３０に底板１を取り付けたときに配管Ｑが挿通可能な貫通孔が形成されるよう切欠８，９に対応する側壁部Ｅ’及びＣ’の下辺部中央に配管Ｑが挿通可能な大きさの切欠５１をそれぞれ有する。更に、上蓋３１は、Ｓ方向に沿って左右に対向する一対の短辺の中央に、散水栓７１に繋がれた散水ホースＨがそれぞれ挿通可能なホース挿通穴５２が形成されている。５３は、上蓋３１把持用切欠である。
【００１９】
更に、この実施形態では、前記係止部１０はそれぞれ前記側壁７ａおよび前記側壁７ｂの内面に設けられている一方、前記水栓支持枠３には、前記係止部１０が設けられた側壁７ａと相対する部分（側壁部Ａの外面）並びに、前記係止部１０が設けられた側壁７ｂと相対する部分（側壁部Ｂの外面）にそれぞれ被係止部１１が設けられている。そして、前記係止部１０と前記被係止部１１とを係脱可能に、且つ、前記側枠部７ａ，７ｂに対し前記水栓支持枠３を位置変更可能に装着してある。尚、側壁７ａおよび前記側壁７ｂの外面にそれぞれ係止部１０を設け、係止部１０が設けられた側壁７ａと相対する部分（側壁部Ａの内面）並びに、前記係止部１０が設けられた側壁７ｂと相対する部分（側壁部Ｂの内面）にそれぞれ被係止部１１を設けてもよい。
【００２０】
そして、この実施形態では、前記係止部１０が上下方向（側枠部２の高さ方向）に延びる複数の突条であり、これら突条がそれぞれＬ方向に沿って側枠部７ａ，７ｂの内面に所定間隔で配列されている。また、前記被係止部１１が上下方向（水栓支持枠３の高さｅの方向）に延びる複数の凹溝であり、これら凹溝がＬ方向に沿って側壁部Ａ，Ｂの外面に所定間隔で配列されている。この実施形態では、複数の係止部（突条）１０と複数の被係止部（凹溝）１１とを係脱するようにしたが、側壁部ＡおよびＢの外面に単一の凹溝を設け、この単一の凹溝に、側壁７ａおよび前記側壁７ｂの内面に設けた複数の突条のうちそれぞれ一つを係脱させてもよい。尚、係止部１０を複数の凹溝とし、被係止部１１を複数の突条としてもよい。また、係止部１０を複数の凹溝とし、被係止部１１を単一の突条としてもよい。なお本発明の係止部、被係止部は、種々の形態のものを含む。
【００２１】
また、散水栓装置Ｄにおいては、容易な操作で散水ホースＨを散水栓４に対して着脱できる公知の簡易着脱機構（例えば、特許第２６６６０５５号公報参照）の継手７２及び７３がそれぞれ散水栓４の吐水口及び散水ホースＨの開口端に備わっている。
【００２２】
而して、この実施形態では、水栓支持枠３を側枠部２における好ましい位置に容易に装着できる。この際、底板１の幅（図５に示す、側壁７ａ，７ｂの長さｂ）よりも散水栓４を支持する水栓支持枠３の幅ｄ小さくするとともに、底板１と水栓支持枠３を突条１０，凹溝１１付きにすることにより、水栓支持枠３を底板１対し、上下方向にスライドさせることができるようになり、散水栓４の位置をフレキシブルに設定できる。また、水栓支持枠３の上面３ａは板状であり、この板状の部分には水栓位置調整用の長孔２１が設けられていることにより、図６に示すように、散水栓４の位置のみならず、散水栓４の向きの調整が容易になる。この際、エルボ部材５０の上流部分に配管Ｑを接続するとともに、エルボ部材５０の下流部分に散水栓４の基部よりも下部をねじ接続することで散水栓４を固定設置でき、屋外の散水用に使用勝手の良い散水栓装置Ｄを得ることができる。
【符号の説明】
【００２３】
Ｄ            散水栓装置
１            底板
７ａ，７ｂ    側壁
２            側枠部
３            水栓支持枠
４            散水栓
５            カバー体
１０          係止部
１１          被係止部
Ａ，Ｂ        係止部が設けられた側壁と相対する部分
【図１】
0006323763.tif 000002
【図２】
0006323763.tif 000003
【図３】
0006323763.tif 000004
【図４】
0006323763.tif 000005
【図５】
0006323763.tif 000006
【図６】
0006323763.tif 000007
【図７】
0006323763.tif 000008